(57)【要約】【課題】イカ釣り用ヤエンにおいて、ヤエンを竿先の道糸に手で装着せずに簡単に道糸にヤエンを通す事を課題とする。【解決手段】上記課題を解決する為に線材からなる支持体１の前方側に掛け針９を配置し後方側に重り８を配置したヤエンにおいて、中通し竿に装着する竿通し部５及び竿通し部５より閉塞していない道糸通し部４及び開閉部６及び支持部７で構成された支点体である第１支点体２や第２支点体３などを支持体１の後方側に複数、立設して配置したことを特徴とするイカ釣り用ヤエンを提供する事にある。本発明によれば竿の内部に道糸を通す中通し竿にヤエンの竿通し部５を装着しておき、道糸が張った状態で中通し竿を傾ける事によりヤエンが中通し竿から滑り降りて竿先の道糸がヤエンの道糸通し部４に通される。手でヤエンを道糸に通す必要がなく、さらに道糸を緩めることなくヤエンの投入がスムーズに行える釣り用ヤエンが提供される。【選択図】  図１
2020080674.tif 000002
【特許請求の範囲】
【請求項１】
線材からなる支持体の前方側に掛け針を配置し支持体の後方側に重りを配置したイカ釣り用ヤエンにおいて、中通し竿に装着する竿通し部及び竿通し部より閉塞していない道糸通し部及び開閉部及び支持部で構成された支点体を支持体の後方側に複数、立設して配置することで中通し竿に竿通し部を装着して中通し竿を傾ける事により、ヤエンが中通し竿を滑り降りて道糸通し部に中通し竿の竿先の道糸が通される事を可能にした釣り用ヤエン。
【発明の詳細な説明】
【技術分野】
【０００１】
本発明は中通し竿にヤエンを装着して中通し竿を傾けることにより中通し竿からヤエンが滑り降りて道糸に通されることを可能にした釣り用ヤエンに関する。
【背景技術】
【０００２】
イカ釣り用ヤエンで使用する竿は１．５号から２号の長さ５ｍ程の振り出し竿で、竿の外側にあるガイドに道糸を通す竿や、竿の内部に道糸を通す中通し竿が一般的に使用されている。
イカ釣り用ヤエンには直径１ｍｍ程のステンレス鋼線などの線材からなる支持体の前方側に掛け針を配置し支持体の後方側に重り、支持体の後方側に道糸を通す道糸リング１６を２個、立設して配置した図９のヤエンや道糸リング１６を３個、立設して配置した図１０のヤエンが一般的に広く知られている。
【０００３】
イカ釣りにおいてヤエンを用いる際は、まず餌魚となるアジを道糸の先に結び、海中で自由に泳がせ、餌魚のアジにイカが食いついた後、一定時間経過後にイカが餌魚のアジを離さなくなる習性を利用して、ヤエンが道糸を滑り降りていける角度になるまでゆっくりイカを近くまで寄せて、竿の先の道糸に手でヤエンを装着して、道糸を緩めずヤエンが道糸を滑り降りてヤエンの掛け針をイカに引っ掛けることによって釣り上げる。
【０００４】
竿の先の道糸に手でヤエンを装着するには、イカがアジを抱いている反対方向に竿を傾けて釣り人の手元に道糸を降ろして竿を脇に挟んでヤエンを手で装着する方法や竿先に釣り人が移動してヤエンを手で装着する事が必要であった。
【発明の概要】
【発明が解決しようとする課題】
【０００５】
従って、ヤエンを手で道糸を通している間に道糸が弛んで根がかりしてしまう事や、イカが急に移動して道糸を引っ張った時の対応が遅れてしまいイカがアジを離してしまう事がある、また、夜間にはヤエンの装着に手間取るという問題があった。
この発明は、ヤエンを竿先の道糸に手で装着せずに簡単に道糸にヤエンを通す事を課題とする。
【課題を解決するための手段】
【０００６】
本発明は、上記課題を解決する為に線材からなる支持体の前方側に掛け針を支持体の後方側に重りを配置したヤエンにおいて、中通し竿に装着する竿通し部及び竿通し部より閉塞していない道糸通し部及び開閉部及び支持部で構成された支点体を支持体の後方側に複数、立設して配置したことを特徴とするイカ釣り用ヤエンを提供する事にある。
【発明の効果】
【０００７】
本発明によれば竿の内部に道糸を通す中通し竿にヤエンの竿通し部を装着しておき、道糸が張った状態で中通し竿を傾ける事によりヤエンが中通し竿から滑り降りて中通し竿の竿先の道糸がヤエンの道糸通し部に通される。手でヤエンを道糸に通す必要がなく、さらに道糸を緩めることなくヤエンの投入がスムーズに行える釣り用ヤエンが提供される。
【図面の簡単な説明】
【０００８】
【図１】本発明に係るヤエンの斜視図。
【図２】図１における第２支点体３の拡大図。
【図３】図１における第１支点体２の拡大図。
【図４】図１における第１支点体２の開閉部６が開いた拡大図。
【図５】本ヤエンの竿通し部に中通し竿を装着した斜視図。
【図６】本ヤエンの道糸通し部に道糸を通した斜視図。
【図７】本ヤエンの竿通し部に中通し竿を装着し輪ゴムで固定した斜視図。
【図８】本ヤエンの滑降を実施した斜視図。
【図９】道糸リングを２個配置した一般的なヤエン。
【図１０】道糸リングを３個配置した一般的なヤエン。
【図１１】支点体を３個配置した本発明に係るヤエンの斜視図。
【発明を実施するための形態】
【０００９】
この発明の釣り用ヤエンの第一実施形態を、図１に示す
線材からなる支持体１はステンレス鋼線の直径１ｍｍを用い、長さは３０センチで設ける。
支持体１の前方側に掛け針９を配置する。
支持体１の後方側に重り８を配置する。
支持体１の後方側に竿通し部５及び竿通し部５より閉塞していない道糸通し部４及び開閉部６及び支持部７で構成された支点体である第１支点体２と第２支点体３を立設して配置する。
第１支点体２は支持体１の前方先端（掛け針９の最前方）より２０センチ後方側に第２支点体３は支持体１の最後尾に立設して配置する。
竿通し部５の直径は装着する中通し竿の直径に合わせて２ｍｍ程大きくする。
道糸通し部４の隙間間隔は装着する中通し竿の先端の最小直径より１ｍｍから２ｍｍ程小さくする。
ヤエンで使用する中通し竿は１．５号から２号が一般的に使用されている。これらの中通し竿の道糸ガイド（リールから竿の内部に道糸を通す箇所）の上部直径は１６ｍｍ位であり先端に向かって徐々に小さくなっていき、先端の直径は約３ｍｍである。
中通し竿に合わせて竿通し部５の直径は１８ｍｍ、道糸通し部４の隙間間隔は２ｍｍで設ける。
【００１０】
図５に第１支点体２と第２支点体３の竿通し部５に中通し竿１１を装着した状態を示す。
支持体１の前方にある掛け針９が中通し竿１１に接触しないように第１支点体２の支持部７の長さは１１ｍｍ第２支点体３の支持部７の長さは９ｍｍで設ける。
【００１１】
図６に第１支点体２の道糸通し部４と第２支点体３の道糸通し部４に道糸１０を装着した状態を示す。
支持体１の前方にある掛け針９の最前方と第１支点体２の道糸通し部４と第２支点体３の道糸通し部４が一直線に並ぶよう第１支点体２の道糸通し部４の長さは８ｍｍ第２支点体３の道糸通し部４の長さは２８ｍｍで設ける。
【００１２】
ヤエンを中通し竿に装着するのは釣り始めからでもいいが、イカがアジなどの餌魚を抱いた後、イカがアジを離さなくなるまで一定時間（３分から５分程）は待っているのでその時にヤエンを中通し竿に装着してもよい。
図７にヤエンを中通し竿１１に固定した状態を示す。
ヤエンの中通し竿１１への装着位置は中通し竿１１の道糸ガイド１３（リールから竿の内部に道糸を通す箇所）の上部付近に行う。
ヤエンを中通し竿１１に開閉部６を開いて（図４に開閉部６が開いている状態を示す）さらに中通し竿の太さにまで広げてヤエンを装着しその後、開閉部６を閉じておく。
ヤエンを中通し竿１１に装着したら幅５ｍｍ程の固定輪ゴム１４で動かないように止めておく。
第一実施形態のヤエンの重量は１３グラム程になり幅５ｍｍ程の固定輪ゴム１４で簡単に固定できる。
【００１３】
図８に本考案のヤエンＡを中通し竿１１に装着して中通し竿１１を傾けてヤエンＡを滑降させてヤエンＡの道糸通し部４に道糸１０を通す状態を示す。
ヤエンＡを中通し竿１１に装着後、イカを近くまで寄せてヤエンＡを投入する時は道糸１０を張った状態でなるべく竿先の道糸１０と中通し竿１１を一直線上になるようにして中通し竿１１を傾ける。
中通し竿１１を傾けた状態で固定輪ゴム１４を外してヤエンＡを方向１５に滑降させる。
【００１４】
図１１に本発明の第二の実施形態として第１支点体２及び第２支点体３及び第３支点体１２の支点体を３個、立設して配置したヤエンを示す。
【符号の説明】
【００１５】
１  支持体
２  第１支点体
３  第２支点体
４  道糸通し部
５  竿通し部
６  開閉部
７  支持部
８  重り
９  掛け針
１０  道糸
１１  中通し竿
１２  第３支点体
１３  道糸ガイド
１４  固定輪ゴム
１５  ヤエンの滑降する方向を示す
１６  道糸リング
Ａ  ヤエン
【図１】
2020080674.tif 000003
【図２】
2020080674.tif 000004
【図３】
2020080674.tif 000005
【図４】
2020080674.tif 000006
【図５】
2020080674.tif 000007
【図６】
2020080674.tif 000008
【図７】
2020080674.tif 000009
【図８】
2020080674.tif 000010
【図９】
2020080674.tif 000011
【図１０】
2020080674.tif 000012
【図１１】
2020080674.tif 000013